(57)【特許請求の範囲】
【請求項１】
舶用ディーゼルエンジンの排ガスによって駆動される排気ターボ過給機と、
尿素水からアンモニアを生成するリアクタと、
該リアクタ内に尿素水を供給する尿素水噴射ノズルと、
前記排気ターボ過給機の下流側の排ガス通路に設けられ、前記リアクタから供給されたアンモニアを用いて排ガス脱硝を行う脱硝触媒部と、
前記舶用ディーゼルエンジンから前記排気ターボ過給機に供給される排ガスの一部を抽気した排ガスを前記リアクタへと導く排ガスバイパス経路と、
該排ガスバイパス経路に対して並列かつ切替可能に設けられ、排ガスによって駆動されて発電するパワータービンが設けられたパワータービン用経路と、
を備え、
排ガス脱硝を行う場合には前記パワータービン用経路に排ガスを流さずに前記排ガスバイパス経路に排ガスを流し、排ガス脱硝を行わない場合には前記排ガスバイパス経路に排ガスを流さずに前記パワータービン用経路に排ガスを流すことを特徴とする排ガス脱硝システム。
【請求項２】
請求項１に記載された排ガス脱硝システムを備え、
前記舶用ディーゼルエンジンは、推進用主機とされていること特徴とする船舶。
【請求項３】
舶用ディーゼルエンジンの排ガスによって駆動される排気ターボ過給機と、
尿素水からアンモニアを生成するリアクタと、
該リアクタ内に尿素水を供給する尿素水噴射ノズルと、
前記排気ターボ過給機の下流側の排ガス通路に設けられ、前記リアクタから供給されたアンモニアを用いて排ガス脱硝を行う脱硝触媒部と、
前記舶用ディーゼルエンジンから前記排気ターボ過給機に供給される排ガスの一部を抽気した排ガスを前記リアクタへと導く排ガスバイパス経路と、
を備えた排ガス脱硝システムの制御方法であって、
前記排ガスバイパス経路に対して並列かつ切替可能に設けられ、排ガスによって駆動されて発電するパワータービンが設けられたパワータービン用経路を備え、
排ガス脱硝を行う場合には前記パワータービン用経路に排ガスを流さずに前記排ガスバイパス経路に排ガスを流し、排ガス脱硝を行わない場合には前記排ガスバイパス経路に排ガスを流さずに前記パワータービン用経路に排ガスを流すことを特徴とする排ガス脱硝システムの制御方法。
【発明の詳細な説明】
【技術分野】
【０００１】
本発明は、排気ターボ過給機を備えた舶用２サイクルディーゼルエンジンをはじめ、排ガス温度の低いディーゼルエンジンにも使用可能な排ガス脱硝システムおよびこれを備えた船舶ならびに排ガス脱硝システムの制御方法に関するものである。
【背景技術】
【０００２】
ディーゼルエンジン等の内燃機関から排出される排ガス中の窒素酸化物（ＮＯｘ）を除去するために、自動車や陸上発電設備などにおいては選択接触還元法（SCR；Selective  atalytic  Reduction）を用いた脱硝装置が多用されている。このような脱硝装置の還元剤として、アンモニアガス、アンモニア水または尿素水が用いられる。しかし、アンモニアは刺激臭があり、含有量１０％以下のアンモニア水を除いて劇物として扱われるので、市中に流通する含有量２５〜３０％のアンモニア水を還元剤とする場合、漏洩検知センサや二重配管、換気装置といった特別な設備を要求されることがある。これに対して、尿素水は、アンモニアのように刺激臭がなく劇物として扱われることがないので、付加的な設備が不要となる点でアンモニアに比べて取扱が容易である。舶用ディーゼルエンジンから排出される窒素酸化物が一部の海域で厳格に規制される国際的な方向性が定められる状況において、乗組員の健康と安全を最優先する立場から、自動車用ディーゼルエンジンの脱硝装置の還元剤として商品化されている含有量３２．５％尿素水を用いた脱硝装置が切望されている。
下記の特許文献１〜４には、自動車用ディーゼルエンジンの脱硝装置の還元剤として尿素水を用いた技術が開示されている。
【先行技術文献】
【特許文献】
【０００３】
【特許文献１】特開２００２−３７１８３１号公報
【特許文献２】特開２００７−２１８１４６号公報
【特許文献３】特開２００４−４４４０５号公報
【特許文献４】特開平５−２８５３４３号公報
【０００４】
特許文献１及び２では、自動車用ディーゼルエンジンが対象とされている。自動車用ディーゼルエンジンは４サイクルとされており、一般に排気温度が最高で約４５０℃程度と高いため、尿素水からアンモニアへの改質が十分に期待できる。したがって、特許文献１及び２では、ゼオライト等金属系脱硝触媒手前の排気管に尿素水を噴射する構成が採用されている。
【発明の概要】
【発明が解決しようとする課題】
【０００５】
しかし、船舶推進用の主機（舶用主機）としては、排気ターボ過給機を備えた舶用ディーゼルエンジンが多用される。
自動車用ディーゼルエンジンと異なり、このような構成の舶用主機では、例えば２サイクルディーゼルエンジンの場合、単体熱効率に優れているため、排気ターボ過給機を通過した後の排ガス温度が最高で約２５０℃程度まで低くなる傾向がある。脱硝触媒は２５０〜４２０℃、好ましくは３２０〜４００℃の温度域で高活性を示すチタン・バナジウム系を採用するが、尿素水からアンモニアへ改質するための時間・助走距離を必要とし、尿素水噴射ノズルは触媒の排気上流にできる限り離して配置する構成となる。
排ガス温度が低い場合には、尿素水からアンモニアへの改質過程で、ビウレット、シアヌル酸他多様な固体副生成物が生じる。これらの固体副生成物は尿素が分解を始める温度レベル（約１３３℃）から、シアヌル酸が分解を始める温度レベル（３２０〜３６０℃）の範囲内で生成されるものとみられる。
特許文献３によれば、脱硝触媒に対して尿素水を排気管に直接噴霧した場合の現象について、次のとおり記されている。「ノズルから滴下された尿素水は、滴下される際にパイプ内を流通する排気ガスの熱により蒸発し、パイプ内にアンモニアガスが生成される。そして、アンモニアにより窒素酸化物が還元されて脱硝装置において窒素酸化物が脱硝される。尿素水は排気ガスの流速とパイプ内の温度が適度である場合は、尿素水をパイプの内部で十分に蒸発して拡散することができる。反対に燃焼装置の燃焼が弱まったような状態では、排気ガスの流速が小さく温度が下がるので、尿素水の蒸発が適度に行われず、ノズルから尿素水が滴下する。」「ノズルから尿素水が滴下する際に、尿素水がノズルの先端部で固化し、ノズルが閉塞することがあった。また、尿素はパイプ内の温度が下がると重合反応により、シアヌル酸等の副生物を生成する。シアヌル酸が生成してパイプの内周壁に付着すると、窒素酸化物の還元剤となるアンモニアの生成量が減少し、下流側にある脱硝装置の脱硝性能が低下してしまう。すなわち、尿素水の滴下量が多く、パイプの下流（底壁部）に尿素水が溜まると、パイプの周壁は外気と接していることから、パイプの内部と温度差があって、パイプの底壁部に滴下した尿素水がパイプの内周面を冷やしてシアヌル酸を生成することになる。」
頻繁な負荷変動の中で運航する船舶では、常に理想の排ガス温度・触媒温度を維持することは困難である。尿素水を排気管に直接噴射したのでは固体副生成物の生成が避けられず、排気管を船舶停泊時ごとに開放して保守することは困難であるから、固体副生成物の排気管への堆積を回避することが課題である。また、これら固体副生成物を保守不完全により放置しておくと時間の経過とともに固体副生成物が成長し、排気管が閉塞してしまうおそれがある。
【０００６】
一方、排ガス脱硝のために必要なチタン・バナジウム系脱硝触媒は、前述のとおり排ガス温度が３２０〜４００℃の温度域で高活性を示すが、排ガス温度が３２０℃未満では、排ガス中の硫黄酸化物（ＳＯｘ）とアンモニアから生成される重硫酸アンモニウム（酸性硫安）により脱硝触媒が被毒され、２５０℃レベルでは脱硝装置の性能劣化が著しい。
この問題を回避するため、舶用２サイクルディーゼル機関でも４００℃レベルの排ガス温度が期待できる過給機上流側に脱硝装置を配置することがまず考えられるが、脱硝装置の熱容量が大きいため、過給機の応答性が低下、発停時や負荷変動時に排気ターボ過給機が追従せず、掃排気系にハンチングを生じ、機関性能に著しい影響を与え、船舶の安全航行に支障を来たす可能性がある。また、チタン・バナジウム系脱硝触媒の使用温度域としては一般的に４００℃レベルの排ガス温度が上限値であり、これ以上の温度域での使用を継続すると触媒のシンタリング（焼結）により失活し、触媒寿命が低下する可能性がある。これらの理由により過給機上流側に脱硝装置を配置するシステムは実用化されていない。
特許文献４では、ディーゼルエンジン特に舶用２サイクルディーゼル機関の排気ターボ過給機下流に配置され、アンモニアを還元剤とする脱硝装置に関して、低温で短期間使用された脱硝触媒であれば、再度昇温すれば酸性硫安により脱硝触媒の活性が低下した状態からもとの活性状態に再生することができる特性を脱硝装置として実用化するために、触媒を収める脱硝装置本体を複数の流路に分割し、各流路で入口部にダンパーを設け、また各流路入口ダンパーの内側で触媒上流側に昇温・再生用の高温ガス注入ノズルを設け、この高温ガスはディーゼル機関の排気ターボ過給機の上流側の排気管より抽気して用いることを提案している。しかしながら、前述したようにアンモニアを還元剤とする舶用排ガス脱硝装置が安全性の点で求められていないことから、特許文献４の提案では不十分である。
【０００７】
舶用ディーゼルエンジンから排出される窒素酸化物が一部の海域で厳格に規制される国際的な方向性が定められる状況において、その海域では使用燃料を従来の硫黄分４．５％以下の残渣油という規定から硫黄分０．１％以下の留出油という規定に代え、ＮＯｘ規制値を現行から８０％削減するという動きになっている。
排ガス温度の低いディーゼルエンジンにも使用可能な舶用排ガス脱硝装置を提供するには、排気ターボ過給機の下流に脱硝装置を配置して排ガス温度が２５０℃程度の低温でも酸性硫安による脱硝触媒の被毒を回避するという課題と、還元剤として含有量３２．５％尿素水を用いるという課題の２つの課題の解決を迫られている。前者の課題は、硫黄分０．１％以下の留出油を使用することで解決の糸口がみつかるが、後者の課題が残っている。
【０００８】
また、舶用ディーゼルエンジンから排気ターボ過給機に供給される排ガスの一部を抽気した排ガスを、尿素水からアンモニアを生成するリアクタへと導く排ガスバイパス経路を備えた構成とすると、脱硝を行わない場合に排ガスバイパス経路を使用する必要がないので、脱硝を行うか否かによって排気ターボ過給機へ導かれる排ガス流量の変動が生じるおそれがある。
本発明は、このような事情に鑑みてなされたものであって、排気ターボ過給機へ導かれる排ガス流量が脱硝を行うか否かによって変動することを抑えることができる排ガス脱硝システムおよびこれを備えた船舶ならびに排ガス脱硝システムの制御方法を提供することを目的とする。
【課題を解決するための手段】
【０００９】
上記課題を解決するために、本発明の排ガス脱硝システムおよびこれを備えた船舶ならびに排ガス脱硝システムの制御方法は以下の手段を採用する。
本発明の参考例としての排ガス脱硝システムは、舶用ディーゼルエンジンの排ガスによって駆動される排気ターボ過給機と、尿素水からアンモニアを生成するリアクタと、該リアクタ内に尿素水を供給する尿素水噴射ノズルと、前記排気ターボ過給機の下流側の排ガス通路に設けられ、前記リアクタから供給されたアンモニアを用いて排ガス脱硝を行う脱硝触媒部と、前記２サイクルディーゼルエンジンから前記排気ターボ過給機に供給される排ガスの一部を抽気した排ガスを前記リアクタへと導く排ガスバイパス経路と、該排ガスバイパス経路によって前記リアクタへと導かれる排ガスまたは前記リアクタ内の排ガスを、前記尿素水噴射ノズルによって前記尿素水が供給される前に加熱するリアクタ用排ガス加熱手段とを備えていることを特徴とする。
【００１０】
排ガスバイパス経路によって、舶用ディーゼルエンジンから排気ターボ過給機に供給される排ガスの一部を抽気した排ガスがリアクタに導かれることとしたので、リアクタ内の反応温度を上昇させることができる。これにより、尿素水からアンモニアへの改質過程で生じる固体副生成物の生成を抑制することができ、尿素水噴射ノズルの閉塞を防止することができ、かつ排気管に固体副生成物を持ち込まない構造となっているので排気管の閉塞を防止することができる。
また、排気ターボ過給機に供給される排ガスを一部抽気することによって排気ターボ過給機を通過する排ガス量が低下するので、排気ターボ過給機のタービン仕事が減少してエンジンに供給される空気量が低下するため、排ガス温度を更に上昇させることができる。これにより、さらに固体副生成物の生成を抑制することができる。
さらに、リアクタ用排ガス加熱手段によってリアクタへ導かれる排ガスまたはリアクタ内の排ガスを加熱することとしたので、リアクタ内の反応温度を上昇させることができる。これにより、起動時のようにエンジン出口排ガス温度が低いときであっても、所望の反応温度を得ることができる。
なお、リアクタ用排ガス加熱手段としては、典型的には、バーナや電気ヒータが挙げられる。また、リアクタ用排ガス加熱手段の設置位置としては、リアクタ内、排ガスバイパス経路、排ガスバイパス経路に分岐する前のメイン排ガス経路等が挙げられる。
また、リアクタ用排ガス加熱手段として電気ヒータを用いるとともに、排気タービン軸の回転によって発電するハイブリッド過給機から電気ヒータへ電力を供給する構成としても良い。
【００１１】
さらに、本発明の参考例としての排ガス脱硝システムにおいて、前記リアクタ用排ガス加熱手段は、前記リアクタ内の温度が所定値以下の場合に起動され、前記所定値を超える場合には停止されることを特徴とする。
【００１２】
排ガスバイパス経路から導かれる排ガスの温度が所定値以上となった場合には、所望のリアクタ内反応温度が得られるので、リアクタ用排ガス加熱手段を起動させる必要はない。そこで、リアクタ内の温度に基づいてリアクタ用排ガス加熱手段の起動停止を切り替えることとした。これにより、リアクタ用排ガス加熱手段によって消費されるエネルギー（バーナ用燃料や電気ヒータ用電力）を節約することができる。
【００１３】
また、本発明の参考例としての排ガス脱硝システムは、舶用ディーゼルエンジンの排ガスによって駆動される排気ターボ過給機と、尿素水からアンモニアを生成するリアクタと、該リアクタ内に尿素水を供給する尿素水噴射ノズルと、前記排気ターボ過給機の下流側の排ガス通路に設けられ、前記リアクタから供給されたアンモニアを用いて排ガス脱硝を行う脱硝触媒部と、前記舶用ディーゼルエンジンから前記排気ターボ過給機に供給される排ガスの一部を抽気した排ガスを前記リアクタへと導く排ガスバイパス経路と、該排ガスバイパス経路へ流れる排ガス量に応じて、前記舶用ディーゼルエンジンの掃気圧力を制御する掃気圧力制御手段とを備えていることを特徴とする。
【００１４】
例えば、排ガス脱硝システムを備えた船舶が排ガスＮＯｘ規制が厳格とされている海域（排ガス規制海域（ECA；Emission  Control  Area））を航行する場合のようにＮＯｘ規制が行われる場合には、リアクタを動作させるために排ガスバイパス経路へと排ガスが導かれるが、排ガスＮＯｘ規制が行われない場合には、脱硝の必要がないため排ガスバイパス経路に排ガスが導かれない。この場合、排気ターボ過給機に導かれる排ガス量は、排ガスバイパス経路に排ガスを導く場合に比べて多くなる。これにより、排気ターボ過給機の能力が増大してエンジンの最適掃気圧力を超えてしまうおそれがある。そこで、本発明では、排ガスバイパス経路へ流れる排ガス量に応じて掃気圧力を制御する掃気圧力制御手段を設けることとした。
【００１５】
さらに、本発明の参考例としての排ガス脱硝システムでは、前記排気ターボ過給機は、容量可変とされており、前記掃気圧力制御手段は、前記排気ターボ過給機の容量を制御することによって掃気圧力を制御することを特徴とする。
【００１６】
排気ターボ過給機としては、VG（Variable  Geometry）ターボ等の可変ノズル過給機や、固定タービンノズルに導かれる排ガス流路面積を切り替える形式の過給機、或いは、容量の異なる複数台の過給機を備え、運転台数が可変とされた過給機システムが用いられる。掃気圧力を適正値に制御するために、排ガスバイパス経路へ流れる排ガス量に応じて排気ターボ過給機の容量を変化させる。具体的には、排ガスバイパス経路へ排ガスを流す場合は、排気ターボ過給機へ流れる排ガス量が減少するので排気ターボ過給機の容量を減少させ、排ガスバイパス経路へ排ガスを流さない場合は、排気ターボ過給機へ流れる排ガス量が増大するので排気ターボ過給機の容量を増大させる。
【００１７】
さらに、本発明の参考例としての排ガス脱硝システムでは、前記排気ターボ過給機は、排気タービン軸の回転力によって発電する一方で、該排気タービン軸の回転を付勢する発電機モータを備えたハイブリッド排気ターボ過給機とされており、前記掃気圧力制御手段は、前記発電機モータの発電量を制御することによって掃気圧力を制御することを特徴とする。
【００１８】
掃気圧力を適正値に制御するために、排ガスバイパス経路へ流れる排ガス量に応じてハイブリッド排気ターボ過給機の発電量を変化させる。具体的には、排ガスバイパス経路へ排ガスを流す場合は、排気ターボ過給機へ流れる排ガス量が減少するので発電機モータの発電量を減少させ、排ガスバイパス経路へ排ガスを流さない場合は、排気ターボ過給機へ流れる排ガス量が増大するので発電機モータの発電量を増大させる。
【００１９】
さらに、本発明の参考例としての排ガス脱硝システムでは、前記舶用ディーゼルエンジンからの排ガスが前記排気ターボ過給機をバイパスして流れる過給機バイパス経路が設けられ、前記掃気圧力制御手段は、前記過給機バイパス経路を流れる排ガス量を調整することによって掃気圧力を制御することを特徴とする。
【００２０】
掃気圧力を適正値に制御するために、排ガスバイパス経路へ流れる排ガス量に応じて過給機バイパス経路を流れる排ガス量を変化させる。具体的には、排ガスバイパス経路へ排ガスを流す場合は、排気ターボ過給機へ向かう排ガス量が減少するので過給機バイパス経路へ流れる排ガス量を減少させ（好ましくは流量をゼロとし）、排ガスバイパス経路へ排ガスを流さない場合は、排気ターボ過給機へ向かう排ガス量が増大するので過給機バイパス経路へ流れる排ガス量を増大させる。
【００２１】
また、本発明の参考例としての排ガス脱硝システムは、舶用ディーゼルエンジンの排ガスによって駆動される排気ターボ過給機と、尿素水からアンモニアを生成するリアクタと、該リアクタ内に尿素水を供給する尿素水噴射ノズルと、前記排気ターボ過給機の下流側の排ガス通路に設けられ、前記リアクタから供給されたアンモニアを用いて排ガス脱硝を行う脱硝触媒部と、前記舶用ディーゼルエンジンから前記排気ターボ過給機に供給される排ガスの一部を抽気した排ガスを前記リアクタへと導く排ガスバイパス経路と、該排ガスバイパス経路によって前記リアクタへと導かれる排ガスまたは前記リアクタ内の排ガスを、前記尿素水噴射ノズルによって前記尿素水が供給される前に加熱するリアクタ用排ガス加熱手段とを備え、前記排気ターボ過給機は、排気タービン軸の回転力によって発電する一方で、該排気タービン軸の回転を付勢する発電機モータを備えたハイブリッド排気ターボ過給機とされ、前記ハイブリッド排気ターボ過給機へ流れる排ガスを加熱するバーナを備えていることを特徴とする。
【００２２】
ハイブリッド排気ターボ過給機へ流れる排ガスを加熱するバーナを設けることにより、エンジンからの排ガス温度が低い起動時であっても、ハイブリッド排気ターボ過給機の下流側に位置する脱硝触媒部へ導かれる排ガス温度を上昇させることができる。
また、エンジン負荷が低い場合には排気エネルギーが小さいので、ハイブリッド排気ターボ過給機による掃気圧力の上昇が見込めない場合がある。本発明では、エンジン負荷が所定値以下となった場合に、バーナによって排ガスを加熱することにより掃気圧力を所望値まで上昇させる。これにより、バーナを補助ブロワの代替として用いることができる。
また、バーナの起動停止によってエンジンの掃気圧力を適正に制御することができる。つまり、脱硝が行われる場合には、リアクタ起動のために排ガスバイパス経路へ排ガスが導かれてハイブリッド排気ターボ過給機へ導かれる排ガス流量が相対的に減少するので、掃気圧力が適正値を下回るおそれがある。このような場合にはバーナを起動させ、掃気圧力を適正値まで上昇させる。
また、電力需要に対して発電量が少ないときは、バーナを起動させることによってハイブリッド排気ターボ過給機の発電量を増大させることができる。
【００２３】
また、本発明の排ガス脱硝システムは、舶用ディーゼルエンジンの排ガスによって駆動される排気ターボ過給機と、尿素水からアンモニアを生成するリアクタと、該リアクタ内に尿素水を供給する尿素水噴射ノズルと、前記排気ターボ過給機の下流側の排ガス通路に設けられ、前記リアクタから供給されたアンモニアを用いて排ガス脱硝を行う脱硝触媒部と、前記舶用ディーゼルエンジンから前記排気ターボ過給機に供給される排ガスの一部を抽気した排ガスを前記リアクタへと導く排ガスバイパス経路と、該排ガスバイパス経路に対して並列かつ切替可能に設けられ、排ガスによって駆動されて発電するパワータービンが設けられたパワータービン用経路を備え、排ガス脱硝を行う場合には前記パワータービン用経路に排ガスを流さずに前記排ガスバイパス経路に排ガスを流し、排ガス脱硝を行わない場合には前記排ガスバイパス経路に排ガスを流さずに前記パワータービン用経路に排ガスを流すことを特徴とする。
【００２４】
パワータービン用経路を、排ガスバイパス経路に対して並列かつ切替可能に設けることにより、脱硝を行わない場合には排ガスバイパス経路からパワータービン用経路に排ガス流れを切り替えることができる。これにより、排気ターボ過給機へ導かれる排ガス流量の変動を抑えることができる。また、パワータービン用経路を流れる排ガスによってパワータービンを起動して電力を得ることができる。
【００２５】
また、本発明の船舶は、上記のいずれかの排ガス脱硝システムを備え、前記舶用ディーゼルエンジンは、推進用主機とされていること特徴とする。
【００２６】
上記のいずれかの排ガス脱硝システムを備えた船舶とすることにより、排ガス規制海域（ECA；Emission  Control  Area）の内外で脱硝システムの起動停止が円滑に実現される。
【００２７】
また、本発明の参考例としての排ガス脱硝システムの制御方法は、舶用ディーゼルエンジンの排ガスによって駆動される排気ターボ過給機と、尿素水からアンモニアを生成するリアクタと、該リアクタ内に尿素水を供給する尿素水噴射ノズルと、前記排気ターボ過給機の下流側の排ガス通路に設けられ、前記リアクタから供給されたアンモニアを用いて排ガス脱硝を行う脱硝触媒部と、前記舶用ディーゼルエンジンから前記排気ターボ過給機に供給される排ガスの一部を抽気した排ガスを前記リアクタへと導く排ガスバイパス経路と、該排ガスバイパス経路によって前記リアクタへと導かれる排ガスまたは前記リアクタ内の排ガスを、前記尿素水噴射ノズルによって前記尿素水が供給される前に加熱するリアクタ用排ガス加熱手段とを備えた排ガス脱硝システムの制御方法であって、前記リアクタ用排ガス加熱手段を、前記リアクタ内の温度が所定値以下の場合に起動し、前記所定値を超える場合には停止することを特徴とする。
【００２８】
排ガスバイパス経路によって、舶用ディーゼルエンジンから排気ターボ過給機に供給される排ガスの一部を抽気した排ガスがリアクタに導かれることとしたので、リアクタ内の反応温度を上昇させることができる。これにより、尿素水からアンモニアへの改質過程で生じるシアヌル酸の発生を抑制することができるので、尿素水噴射ノズルや排気管の閉塞を防止することができる。
また、排気ターボ過給機に供給される排ガスを一部抽気することによって排気ターボ過給機を通過する排ガス量が低下するので、排気ターボ過給機のタービン仕事が減少してエンジンに供給される空気量が低下するため、排ガス温度を更に上昇させることができる。これにより、さらにシアヌル酸の生成を抑制することができる。
さらに、リアクタ用排ガス加熱手段によってリアクタへ導かれる排ガスまたはリアクタ内の排ガスを加熱することとしたので、リアクタ内の反応温度を上昇させることができる。これにより、起動時のように排ガス温度が低くリアクタ内温度が低いときであっても、所望の反応温度を得ることができる。
排ガスバイパス経路から導かれる排ガスの温度が所定値以上となった場合には、所望のリアクタ内反応温度が得られるので、リアクタ用排ガス加熱手段を起動させる必要はない。そこで、リアクタ内の温度に基づいてリアクタ用排ガス加熱手段の起動停止を切り替えることとした。これにより、リアクタ用排ガス加熱手段によって消費されるエネルギー（バーナ用燃料や電気ヒータ用電力）を節約することができる。
【００２９】
また、本発明の参考例としての排ガス脱硝システムの制御方法は、舶用ディーゼルエンジンの排ガスによって駆動される排気ターボ過給機と、尿素水からアンモニアを生成するリアクタと、該リアクタ内に尿素水を供給する尿素水噴射ノズルと、前記排気ターボ過給機の下流側の排ガス通路に設けられ、前記リアクタから供給されたアンモニアを用いて排ガス脱硝を行う脱硝触媒部と、前記舶用ディーゼルエンジンから前記排気ターボ過給機に供給される排ガスの一部を抽気した排ガスを前記リアクタへと導く排ガスバイパス経路とを備えた排ガス脱硝システムの制御方法であって、前記排ガスバイパス経路へ流れる排ガス量に応じて、前記舶用ディーゼルエンジンの掃気圧力を制御することを特徴とする。
【００３０】
例えば、排ガス脱硝システムを備えた船舶が排ガスＮＯｘ規制が厳格とされている海域（排ガス規制海域（ECA；Emission  Control  Area））を航行する場合のようにＮＯｘ規制が行われる場合には、リアクタを動作させるために排ガスバイパス経路へと排ガスが導かれるが、排ガスＮＯｘ規制が行われない場合には、脱硝の必要がないため排ガスバイパス経路に排ガスが導かれない。この場合、排気ターボ過給機に導かれる排ガス量は、排ガスバイパス経路に排ガスを導く場合に比べて多くなる。これにより、排気ターボ過給機の能力が増大してエンジンの最適掃気圧力を超えてしまうおそれがある。そこで、本発明では、排ガスバイパス経路へ流れる排ガス量に応じて掃気圧力を制御することとした。
【００３１】
また、本発明の参考例としての排ガス脱硝システムの制御方法は、舶用ディーゼルエンジンの排ガスによって駆動される排気ターボ過給機と、尿素水からアンモニアを生成するリアクタと、該リアクタ内に尿素水を供給する尿素水噴射ノズルと、前記排気ターボ過給機の下流側の排ガス通路に設けられ、前記リアクタから供給されたアンモニアを用いて排ガス脱硝を行う脱硝触媒部と、前記舶用ディーゼルエンジンから前記排気ターボ過給機に供給される排ガスの一部を抽気した排ガスを前記リアクタへと導く排ガスバイパス経路と、該排ガスバイパス経路によって前記リアクタへと導かれる排ガスまたは前記リアクタ内の排ガスを、前記尿素水噴射ノズルによって前記尿素水が供給される前に加熱するリアクタ用排ガス加熱手段とを備えた排ガス脱硝システムの制御方法であって、前記排気ターボ過給機は、排気タービン軸の回転力によって発電する一方で、該排気タービン軸の回転を付勢する発電機モータを備えたハイブリッド排気ターボ過給機とされ、バーナによって、前記ハイブリッド排気ターボ過給機へ流れる排ガスを加熱することを特徴とする。
【００３２】
ハイブリッド排気ターボ過給機へ流れる排ガスを加熱するバーナを設けることにより、エンジンからの排ガス温度が低い起動時であっても、ハイブリッド排気ターボ過給機の下流側に位置する脱硝触媒部へ導かれる排ガス温度を上昇させることができる。
また、エンジン負荷が低い場合には排気エネルギーが小さいので、ハイブリッド排気ターボ過給機による掃気圧力の上昇が見込めない場合がある。本発明では、エンジン負荷が所定値以下となった場合に、バーナによって排ガスを加熱することにより掃気圧力を所望値まで上昇させる。これにより、バーナを補助ブロワの代替もしくは補助手段として用いることができるため、補助ブロワの台数低減もしくは容量低減ができる。
また、バーナの起動停止によってエンジンの掃気圧力を適正に制御することができる。つまり、脱硝が行われる場合には、リアクタ起動のために排ガスバイパス経路へ排ガスが導かれてハイブリッド排気ターボ過給機へ導かれる排ガス流量が相対的に減少するので、掃気圧力が適正値を下回るおそれがある。このような場合にはバーナを起動させ、掃気圧力を適正値まで上昇させる。
また、電力需要に対して発電量が少ないときは、バーナを起動させることによってハイブリッド排気ターボ過給機の発電量を増大させることができる。
【００３３】
また、本発明の排ガス脱硝システムの制御方法は、舶用ディーゼルエンジンの排ガスによって駆動される排気ターボ過給機と、尿素水からアンモニアを生成するリアクタと、該リアクタ内に尿素水を供給する尿素水噴射ノズルと、前記排気ターボ過給機の下流側の排ガス通路に設けられ、前記リアクタから供給されたアンモニアを用いて排ガス脱硝を行う脱硝触媒部と、前記舶用ディーゼルエンジンから前記排気ターボ過給機に供給される排ガスの一部を抽気した排ガスを前記リアクタへと導く排ガスバイパス経路とを備えた排ガス脱硝システムの制御方法であって、前記排ガスバイパス経路に対して並列かつ切替可能に設けられ、排ガスによって駆動されて発電するパワータービンが設けられたパワータービン用経路を備え、排ガス脱硝を行う場合には前記パワータービン用経路に排ガスを流さずに前記排ガスバイパス経路に排ガスを流し、排ガス脱硝を行わない場合には前記排ガスバイパス経路に排ガスを流さずに前記パワータービン用経路に排ガスを流すことを特徴とする。
【００３４】
パワータービン用経路を、排ガスバイパス経路に対して並列かつ切替可能に設けることにより、脱硝を行わない場合には排ガスバイパス経路からパワータービン用経路に排ガス流れを切り替えることができる。これにより、排気ターボ過給機へ導かれる排ガス流量の変動を抑えることができる。また、パワータービン用経路を流れる排ガスによってパワータービンを起動して電力を得ることができる。
【発明の効果】
【００３５】
本発明によれば、排気ターボ過給機へ導かれる排ガス流量が脱硝を行うか否かによって変動することを抑えることができる。
【図面の簡単な説明】
【００３６】
【図１】本発明の排ガス脱硝システムの第１参考実施形態を示した概略構成図である。
【図２】本発明の排ガス脱硝システムの第２参考実施形態を示し、（ａ）は主要部の概略構成図、（ｂ）はハイブリッド発電機モータから船内系統への構成を示した概略構成図である。
【図３】図２の第１変形例を示した概略構成図である。
【図４】図２の第２変形例を示した概略構成図である。
【図５】本発明の排ガス脱硝システムの第３参考実施形態を示し、（ａ）は主要部の概略構成図、（ｂ）はハイブリッド発電機モータから船内系統への構成を示した概略構成図である。
【図６】本発明の排ガス脱硝システムの第１実施形態を示した概略構成図である。
【発明を実施するための形態】
【００３７】
以下に、本発明に係る排ガス脱硝システムおよびこれを備えた船舶ならびに排ガス脱硝システムの制御方法の一実施形態について、図面を参照して説明する。
［第１参考実施形態］
図１には、本実施形態にかかる舶用排ガス脱硝システム１が設けられたディーゼルエンジン３まわりの概略構成が示されている。
船舶内には、船舶推進用の主機とされたディーゼルエンジン３と、ディーゼルエンジン３からの排ガスを脱硝するための脱硝システム１と、ディーゼルエンジン３の排ガスによって駆動される排気ターボ過給機５と、ディーゼルエンジン３の排ガスによって蒸気を生成する排ガスエコノマイザ１１とを備えている。
【００３８】
ディーゼルエンジン３は、舶用２サイクルエンジンとされており、下方から給気して上方へ排気するように１方向に掃気されるユニフロー型が採用されている。ディーゼルエンジン３からの出力は、図示しないプロペラ軸を介してスクリュープロペラに直接的または間接的に接続されている。
ディーゼルエンジン３の各気筒のシリンダ部１３（図１では１気筒のみを示している。）の排気ポートは排ガス集合管としての排気マニホールド１５に接続されている。排気マニホールド１５は、第１排気経路Ｌ１を介して、排気ターボ過給機５のタービン部５ａの入口側と接続されている。なお、図１において、符号８は排気弁、符号９はピストンである。
【００３９】
一方、各シリンダ部１３の掃気ポートは掃気トランク（図示せず）に接続されており、掃気マニホールドは、給気経路Ｋ１を介して、排気ターボ過給機５のコンプレッサ部５ｂと接続されている。また、給気経路Ｋ１には空気冷却器（インタークーラ）１９が設置されている。
【００４０】
排気ターボ過給機５は、タービン部５ａと、コンプレッサ部５ｂとを備えている。タービン部５ａ及びコンプレッサ部５ｂは、回転軸５ｃによって同軸にて連結されている。タービン部５ａは、ディーゼルエンジン３からの排ガスによって駆動され、タービン部５ａにて得られたタービン仕事は回転軸５ｃを介してコンプレッサ部５ｂに伝達される。コンプレッサ部５ｂは、外気（空気）を吸い込み所定掃気圧まで昇圧する。
タービン部５ａにてタービン仕事を与えた後の排ガスは、第２排気経路Ｌ２へと流出する。第２排気経路Ｌ２は、分岐点２０にて、第３排気経路Ｌ３及び第４排気経路Ｌ４へと分岐される。分岐点２０における排ガス経路の切り替えは、第３排気経路Ｌ３に設けられた排ガスエコノマイザ側開閉弁２２と、第４排気経路Ｌ４に設けられた脱硝側開閉弁２４とによって行われる。これらの開閉弁２２，２４は、択一的に選択されて開閉が行われる。すなわち、排ガスのＮＯｘ規制が厳格とされている海域（Emission  Control  Area，以下「ECA」という。）を航行する際のように排ガス脱硝が必要な場合は、脱硝側開閉弁２４を開き、排ガスエコノマイザ側開閉弁２２を閉じる。一方、排ガスのＮＯｘ規制が比較的緩やかなＥＣＡ外の海域を航行する際のように排ガス脱硝を行わない場合は、脱硝側開閉弁２４を閉じ、排ガスエコノマイザ側開閉弁２２を開ける。
なお、これら開閉弁２２，２４は、１つの三方弁で代用することも可能である。
【００４１】
排ガスエコノマイザ１１は、排ガスエコノマイザ側開閉弁２２の下流側に接続されており、ディーゼルエンジン３から排出された排ガスと、給水管２３によって供給された水とを熱交換させて蒸気を発生させる。発生された蒸気は、船内の各所にて利用される。
第４排気経路Ｌ４の脱硝側開閉弁２４の下流側には、後述するリアクタ２によって生成されたアンモニアガスを排ガスに対して供給するアンモニア供給部６と、選択接触還元法（SCR；Selective  Catalytic  Reduction）に用いられるＳＣＲ触媒部（脱硝触媒部）４とがこの順番で接続されている。
【００４２】
舶用排ガス脱硝システム１は、上述したＳＣＲ触媒部４およびアンモニア供給部６と、尿素水からアンモニアガスを生成するリアクタ２とを備えている。
【００４３】
ＳＣＲ触媒部４では、排ガス中のＮＯｘが触媒により選択的に還元され、無害な窒素と水蒸気に分解される。ＳＣＲ触媒部４にて脱硝された排ガスは、下流側の合流点２９にて、排ガスエコノマイザ１１の下流側と合流され、図示しない煙突から外部へと排出される。ＳＣＲ触媒部４の下流には、合流点２９との間に遮断弁２５が設けられ、排ガスのＮＯｘ規制が比較的緩やかな海域を航行する際に遮断弁を閉じることで、高硫黄分の排ガスが脱硝触媒側に一部流れて触媒を暴露するのを防ぐ。
【００４４】
アンモニア供給部６は、混合容器２７と、この混合容器２７内に設けられ、多数の噴出孔が形成されたアンモニアガス噴出ノズル２６とを備えている。アンモニアガス噴出ノズル２６から噴出されたアンモニアガスと、混合容器２７内に導かれた排ガスが混合された後に、ＳＣＲ触媒部４へと導かれる。
【００４５】
リアクタ２は、リアクタ容器３０と、多数の噴射孔が形成された尿素水噴射ノズル３２とを備えている。尿素水噴射ノズル３２には、尿素水タンク３４に貯留された尿素水が尿素水ポンプＰ１によって供給されるようになっている。また、尿素水ポンプＰ１の下流側の尿素水供給経路Ｍ１もしくは尿素水噴射ノズル３２には、圧縮空気供給源３６から供給される圧縮空気が合流されるようになっている。
【００４６】
リアクタ２の上流側（図において下方）には、バーナ（リアクタ用排ガス加熱手段）５０が設けられている。バーナ５０は、リアクタ２の周囲に複数本設けられている。各バーナ５０には、図示しない燃料供給源から燃料が供給され、リアクタ２内で火炎を形成してリアクタ２の排ガスを加熱する。また、各バーナ５０は、図示しない制御部によって起動停止が制御されるようになっている。
【００４７】
リアクタ２と排気マニホールド１５との間には、排ガスの一部を抽気する排ガスバイパス経路Ｂ１が設けられている。排ガスバイパス経路Ｂ１には、図示しない制御部によって制御され、流量調整可能とされたバイパス制御弁４０が設けられている。バイパス制御弁４０によって調整される流量は、ディーゼルエンジン３からの排ガスの５〜２０％、好ましくは１０〜１５％の範囲とされる。
【００４８】
次に、上記構成の舶用排ガス脱硝システム１の制御方法について説明する。
ディーゼルエンジン３から排出された排ガスは、排気マニホールド１５から第１排気経路Ｌ１を介して排気ターボ過給機５のタービン部５ａへと導かれる。タービン部５ａは、排ガスエネルギーを得て回転させられ、コンプレッサ５ｂを回転させる。コンプレッサ部５ｂでは、吸入した空気（外気）を圧縮して空気冷却器１９を介してディーゼルエンジン３の掃気トランクへと送る。
【００４９】
ＥＣＡ外の海域を航行する場合には、排ガス脱硝を行わない。この場合、排ガスエコノマイザ側開閉弁２２を開とし、脱硝側開閉弁２４及びバイパス制御弁４０及び遮断弁２５を閉とする。
排気ターボ過給機５のタービン部５ａから排出された排ガスは、第２排気経路Ｌ２から分岐点２０を通過して第３排気経路Ｌ３を通り、排ガスエコノマイザ側開閉弁２２を介して、排ガスエコノマイザ１１へと導かれる。排ガスエコノマイザ１１では、給水管２３から供給される水が排ガスによって加熱されて蒸気が生成される。生成された蒸気は、船内の各所にて使用される。排ガスエコノマイザ１１から排出された排ガスは、図示しない煙突から外部へと排出される。
【００５０】
一方、ＥＣＡ内を航行する場合には、排ガス脱硝を行う。この場合、排ガスエコノマイザ側開閉弁２２を閉とし、脱硝側開閉弁２４及びバイパス制御弁４０及び遮断弁２５を開とする。
【００５１】
バイパス制御弁４０の開度は、制御部の指令によって適宜調整される。バイパス制御弁４０によって流量が調整された後、排ガスバイパス経路Ｂ１を介して排ガスがリアクタ２へと導かれる。
【００５２】
リアクタ２へ導かれた排ガスは、リアクタ２内のバーナ５０が設けられた領域を通過する。バーナ５０は、以下のように動作が制御される。
ディーゼルエンジン３の起動時は排ガス温度が低いため、排ガスバイパス経路Ｂ１を流れる排ガス温度も低い。したがって、排ガスバイパス経路Ｂ１から排ガスを導いてもリアクタ内の反応温度を所望値まで上昇させることは期待できない。そこで、ディーゼルエンジン３の起動時には、図示しない制御部の指令により、バーナ５０が起動され、リアクタ２内に火炎を形成し、その燃焼熱によって排ガスを加熱してリアクタ２内温度を所望値まで上昇させる。
ディーゼルエンジン３が起動して所定時間経過した後に、バーナ５０の動作を停止する。これは、ディーゼルエンジン３の起動後で所定時間経過した後は、排ガス温度が所望値まで上昇していると判断できるからである。
【００５３】
リアクタ２内では、バーナ５０が設けられた領域を通過した排ガスに対して、圧縮空気供給源３６から供給される圧縮空気とともに、尿素水タンク３４から導かれる尿素水が尿素水噴射ノズル３２から噴射される。そして、リアクタ２内で噴射された尿素水が改質され、アンモニアガスが生成される。この改質反応では、排ガスの顕熱によって加熱されているので、固体副生成物の生成が抑制されている。このように生成されたアンモニアガスは、アンモニア供給部６へと導かれ、アンモニアガス噴射ノズル２６から排ガスに向けて噴射される。
【００５４】
排気ターボ過給機５のタービン部５ａから排出された排ガスは、第２排気経路Ｌ２から分岐点２０を通過して第４排気経路Ｌ４を通り、アンモニア供給部６へと導かれる。アンモニア供給部６にてアンモニアガスと混合された排ガスは、ＳＣＲ触媒部４へと導かれ、このＳＣＲ触媒部４にて脱硝される。脱硝後の排ガスは、合流点２９を通過して図示しない煙突から外部へと排出される。
【００５５】
上述の通り、本実施形態によれば、以下の作用効果を奏する。
２サイクルとされたディーゼルエンジン３から排気ターボ過給機５に供給される排ガスの一部を抽気した排ガスがリアクタ２に導かれることとしたので、リアクタ２内の反応温度を上昇させることができる。これにより、尿素水からアンモニアへの改質過程で生じる固体副生成物の生成を抑制することができるので、尿素水噴射ノズル３２や、リアクタ２よりも下流側に位置する排気管の閉塞を防止することができる。
また、排気ターボ過給機５に供給される排ガスを一部抽気することによって排気ターボ過給機５を通過する排ガス量が低下するので、排気ターボ過給機５のタービン仕事が減少してディーゼルエンジン３に供給される空気量が低下するため、排ガス温度を更に上昇させることができる。これにより、固体副生成物の生成をさらに抑制することができる。
さらに、バーナ５０によってリアクタ２内の排ガスを加熱することとしたので、リアクタ２内の反応温度を上昇させることができる。これにより、ディーゼルエンジン３の起動時のように排ガス温度が低くリアクタ２内温度が低いときであっても、所望の反応温度を得ることができ、かつ酸性硫安による脱硝触媒の被毒を回避できる。
【００５６】
なお、本実施形態では、バーナ５０の起動は、ディーゼルエンジン３の起動時に行うこととして説明したが、本発明はこれに限らず、例えば、リアクタ２内の温度もしくは排ガスバイパス経路Ｂ１を通過する排ガス温度が所定値以下の場合に行うこととしてもよい。この場合には、リアクタ２内もしくは排ガスバイパス経路Ｂ１内に温度センサを設け、この温度センサの出力温度に応じてバーナ５０の起動停止を行うことが好ましい。
【００５７】
また、本実施形態では、リアクタ２内の排ガスを加熱するためにバーナ５０を用いることとしたが、これに代えて電気ヒータを用いることとしても良い。電気ヒータに供給される電力は、船内電力が使用され、例えば、発電用ディーゼルエンジンによって得られた電力、後述するハイブリッド過給機によって得られた電力、後述するパワータービンによって得られた電力等が挙げられる。
【００５８】
また、本実施形態では、バーナ５０の配置をリアクタ２の上流位置としたが、バーナ５０や電気ヒータ等のリアクタ用排ガス加熱手段の位置はこれに限らず、例えば、図１の符号５１に示すように、排ガスバイパス経路Ｂ１に設けても良い。この場合には、加熱後の温度低下を抑制するためにリアクタ２の直近に設けることが好ましい。あるいは、図１の符号５２に示すように、排ガスバイパス経路Ｂ１に分岐する前のメイン排ガス経路に設けても良い。
【００５９】
［第２参考実施形態］
次に、本発明の第２参考実施形態について図２を用いて説明する。
本実施形態は、第１参考実施形態の排気ターボ過給機５に代えて、ハイブリッド排気ターボ過給機（以下「ハイブリッド過給機５’」という。）を用いている点で相違する。また、本実施形態の図２ではバーナ５０に代えて電気ヒータ５３を用いている。その他の構成については第１参考実施形態と同様なので、同一符号を付しその説明を省略する。
【００６０】
図２（ａ）に示されているように、ハイブリッド過給機５’は、タービン部５ａと、コンプレッサ部５ｂと、ハイブリッド発電機モータ５ｅとを備えている。タービン部５ａ及びコンプレッサ部５ｂと、ハイブリッド発電機モータ５ｅとは、回転軸５ｄによって同軸にて連結されている。
ハイブリッド発電機モータ５ｅは、タービン部５ａによって得られる回転出力を得て発電する一方で、船内系統４６（図２（ｂ）参照）から電力を得てコンプレッサ部５ｂの回転を加勢する。ハイブリッド発電機モータ５ｅと船内系統４６との間には、図２（ｂ）に示されているように、ハイブリッド発電機モータ５ｅ側から順に、交流電力を直流電力に変換するコンバータ４２と、直流電力を交流電力に変換するインバータ４３と、開閉スイッチ４４とが設けられている。
【００６１】
本実施形態では、ハイブリッド発電機モータ５ｅによって発電された電力は、リアクタ２に設けられた電気ヒータ５３へと供給できるようになっている。これにより、ハイブリッド過給機５’にて回収した電力を脱硝用として用いることができるので、高効率な脱硝システムを実現することができる。
【００６２】
さらに、本実施形態では、上述した第１参考実施形態の制御に加えて、以下の制御が行われる。
＜掃気圧力制御＞
ディーゼルエンジン３の掃気圧力を適正に保つため、ＥＣＡ内外でハイブリッド過給機５’の制御を分けて行う。ＥＣＡ内を航行する場合のようにＮＯｘ規制が行われる場合には、リアクタ２を動作させるために排ガスバイパス経路Ｂ１へと排ガスが導かれるが、排ガスＮＯｘ規制が行われないＥＣＡ外を航行する場合には、脱硝の必要がないため排ガスバイパス経路Ｂ１に排ガスが導かれない。この場合、ハイブリッド過給機５’に導かれる排ガス量は、排ガスバイパス経路Ｂ１に排ガスを導くＥＣＡ内を航行する場合に比べて多くなる。これにより、排気ターボ過給機の能力が増大してエンジンの最適掃気圧力を超えてしまうおそれがある。そこで、本実施形態では、排ガスバイパス経路へ流れる排ガス量に応じてハイブリッド過給機５’の発電量を変化させる。具体的には、排ガスバイパス経路Ｂ１へ排ガスを流すＥＣＡ内を航行する場合は、ハイブリッド過給機５’へ流れる排ガス量が減少するので発電機モータ５ｅの発電量を、ＥＣＡ外を航行する場合に比べて減少させる。一方、排ガスバイパス経路Ｂ１へ排ガスを流さないＥＣＡ外を航行する場合は、ハイブリッド過給機５’へ流れる排ガス量が増大するのでハイブリッド発電機モータ５ｅの発電量を、ＥＣＡ内を航行する場合に比べて増大させる。
このように、本実施形態によれば、ＥＣＡ内外で排ガスバイパス経路Ｂ１を切り替えても、ディーゼルエンジン３の掃気圧力を適正値に維持することができるので、低燃費とされた運転が実現される。
【００６３】
［第２参考実施形態の変形例１］
図３に示したように、ハイブリッド過給機５’に代えて、容量可変式の過給機として、VG（Variable  Geometry）ターボ等の可変ノズル過給機５”としても良い。可変ノズル過給機５”は、タービン部５ａへ導かれる排ガスの流量を制御する可変ノズル５８が設けられている。可変ノズル５８の開度は、図示しない制御部によって制御される。
なお、図３に示した変形例は、電気ヒータ５３ではなく、バーナ５０が設けた例が示されている。
【００６４】
可変ノズル過給機５”を用いた場合も、上述した掃気圧力制御と同等の制御を行う。具体的には、排ガスバイパス経路Ｂ１へ排ガスを流す場合は、可変ノズル過給機５”へ流れる排ガス量が減少するので可変ノズル過給機５”のノズル開度を小さくして容量を減少させる。一方、排ガスバイパス経路Ｂ１へ排ガスを流さない場合は、可変ノズル過給機５”へ流れる排ガス量が増大するので可変ノズル過給機５”のノズル開度を大きくして容量を増大させる。
また、容量可変式の過給機としては、他に、固定タービンノズルに導かれる排ガス流路面積を切り替える形式の過給機、或いは、容量の異なる複数台の過給機を備え、運転台数が可変とされた過給機システムが挙げられる。これらの過給機についても、上述と同様の掃気圧力制御を行うことができる。
【００６５】
［第２参考実施形態の変形例２］
図４に示したように、可変容量式の過給機を用いない場合でも、排気ターボ過給機５をバイパスして流れる過給機バイパス経路６０を設けることにより、掃気圧力制御を行うことができる。過給機バイパス経路６０には、過給機バイパス弁６２が設けられている。
具体的な制御は次のように行う。排ガスバイパス経路Ｂ１へ排ガスを流す場合は、排気ターボ過給機５へ向かう排ガス量が減少するので、過給機バイパス弁６２を閉じて過給機バイパス経路６０への排ガス流れを停止する。一方、排ガスバイパス経路Ｂ１へ排ガスを流さない場合は、排気ターボ過給機５へ向かう排ガス量が増大するので、過給機バイパス弁６２を開けて過給機バイパス経路６０へ流れる排ガス量を増大させる。
なお、過給機バイパス弁６２は、開閉弁に限らず、掃気圧に応じて開度を制御できる制御弁としてもよい。
【００６６】
［第３参考実施形態］
次に、本発明の第３参考実施形態について、図５を用いて説明する。本実施形態は、図２を用いて説明した第２参考実施形態の構成に対して、ハイブリッド過給機用バーナ６５が設けられている点で相違する。その他の構成については第２参考実施形態と同様なので、同一符号を付しその説明を省略する。
ハイブリッド過給機用バーナ６５は、ハイブリッド過給機５’のタービン部５ａの上流側に設けられており、タービン部５ａに流入する排ガスを加熱するために用いられる。バーナ６５には、図示しない燃料供給源から燃料が供給され、バーナ６５によって形成された火炎の燃焼熱によって排ガスが加熱される。バーナ６５の起動停止は、図示しない制御部によって行われる。
【００６７】
本実施形態では、上述した第２参考実施形態の制御に加えて、ハイブリッド過給機５’の上流側に設けたバーナ６５により、以下の制御が行われる。
＜バーナによる排ガス温度制御＞
ディーゼルエンジン３の起動時のように排ガス温度が低い場合に、図示しない制御部によってバーナ６５が起動される。これにより、ハイブリッド過給機５’の下流側に位置するＳＣＲ触媒部４へ導かれる排ガス温度を上昇させることができる。
【００６８】
＜バーナによるエンジン低負荷時の掃気圧力上昇＞
ディーゼルエンジン３の負荷が低い場合には、排ガスエネルギーが小さいためハイブリッド過給機５’による掃気圧の上昇が見込めない場合がある。本実施形態では、ディーゼルエンジン３の負荷が所定値以下の場合には、図示しない制御部によってバーナ６５が起動される。これにより、ハイブリッド過給機５’に導かれる排ガスが加熱され、掃気圧力を所望値まで上昇させることができる。このように、バーナ６５を、従来設けられていた補助ブロワの代替あるいは補助手段として用いることができる。
【００６９】
＜バーナによる掃気圧力制御＞
バーナ６５の起動停止によってディーゼルエンジン３の掃気圧力を適正に制御する。
脱硝が行われるＥＣＡ内航行時には、リアクタ２の起動のために排ガスバイパス経路Ｂ１へ排ガスが導かれ、ハイブリッド過給機５’へ導かれる排ガス流量が相対的に減少するので、掃気圧力が適正値を下回るおそれがある。このような場合には、図示しない制御部によってバーナ６５を起動させて排ガスを加熱することにより、掃気圧力を適正値まで上昇させる。一方、ＥＣＡ外航行時には脱硝が行われないので、ハイブリッド過給機５’には必要量の排ガスが導かれるので、バーナ６５は停止される。
【００７０】
＜バーナによる発電量増大＞
船内の電力需要に対して発電量が少ないときは、図示しない制御部によってバーナ６５を起動させる。これにより、加熱された排ガスがハイブリッド過給機５’へと導かれ、ハイブリッド過給機５’の発電量が増大する。増大した発電量に相当する電力が、船内系統４６へと供給される。
【００７１】
なお、本実施形態では、バーナ６５を、ハイブリッド過給機５’の上流側で、排ガスバイパス経路Ｂ１の分岐後の位置に設けることとしたが、図５（ａ）の符号５２に示すように、排ガスバイパス経路Ｂ１に分岐する前のメイン排ガス経路に設けても良い。この位置にバーナ５２を設けても、バイブリッド過給機５’へ導かれる排ガスの温度を上昇させることができるため、上述の各制御を行うことができる。また、この位置にバーナ５２を設ければ、第１実施形態にて説明したように、排ガスバイパス経路Ｂ１を介してリアクタ２へと導かれる排ガスの温度をも上昇させることができる。
【００７２】
［第１実施形態］
次に、本発明の第１実施形態について、図６を用いて説明する。本実施形態は、図１を用いて説明した第１参考実施形態の構成に対して、パワータービン７０が設けられている点で相違する。その他の構成については第１参考実施形態と同様なので、同一符号を付しその説明を省略する。
パワータービン７０は、排ガスによって回転駆動され、この回転エネルギーがパワータービン発電機７２によって電力として回収される。パワータービン発電機７２によって発電された電力は図示しない電力線を介して船内系統へと供給される。
パワータービン７０は、排ガスバイパス経路Ｂ１に対して並列に設けたパワータービン用経路７１に設けられている。パワータービン用経路７１は、排ガスバイパス経路Ｂ１のバイパス制御弁４０の下流側の分岐点７３から分岐し、排気ターボ過給機５の下流側の第２排気経路Ｌ２に合流する。
排ガスバイパス経路Ｂ１の分岐点７３の下流側には、リアクタ側開閉弁７６が設けられている。また、パワータービン用経路７１のパワータービン７０の上流側にはパワータービン側開閉弁７４が設けられている。これら開閉弁７４，７６を開閉することにより、排ガスをリアクタ２またはパワータービン７０に導くようになっている。なお開閉弁７４、７６は、１つの三方弁で代用することも可能である。
【００７３】
ＥＣＡ内を航行する場合には脱硝を行うので、パワータービン側開閉弁７４を閉とし、リアクタ側開閉弁７６を開として、排ガスをリアクタ２へと導く。この場合には、パワータービン７０は動作しない。
一方、ＥＣＡ外を航行する場合には脱硝を行わないので、パワータービン側開閉弁７４を開とし、リアクタ側開閉弁７６を閉として、排ガスをパワータービン７０へと導く。パワータービン７０は、排ガスによって駆動され、パワータービン発電機７２によって発電される。
また、本実施形態では、脱硝を行わずリアクタ２へ排ガスを導かない場合であっても、パワータービン７０側へ排ガスを導く構成とされているので、脱硝の有無に関わらず排気ターボ過給機５へ導かれる排ガス流量の変動を抑えることができる。
【符号の説明】
【００７４】
１  舶用排ガス脱硝システム
２  リアクタ
３  ディーゼルエンジン（舶用ディーゼルエンジン）
４  ＳＣＲ触媒部（脱硝触媒部）
５  排気ターボ過給機
５’  ハイブリッド過給機
３２  尿素水噴射ノズル
３４  尿素水タンク
４０  バイパス制御弁
５０，５１，５２  バーナ
５３  電気ヒータ
６５  ハイブリッド過給機用バーナ
７０  パワータービン
７１  パワータービン用経路
Ｂ１  排ガスバイパス経路
【図１】
0005964467.tif 000002
【図２】
0005964467.tif 000003
【図３】
0005964467.tif 000004
【図４】
0005964467.tif 000005
【図５】
0005964467.tif 000006
【図６】
0005964467.tif 000007